(57)【特許請求の範囲】
【請求項１】
建物躯体となる壁パネルと、この壁パネルの外側表面に取り付けた外部取付部材とを予め組んだ組立壁パネルの固定構造であって、
外部取付部材の下方であって外部取付部材から下方に流れ落ちる水を反建物躯体側に案内するように設けた先付け水切りと、
この先付け水切りの下方であって先付け水切りの下端から流れ落ちる水を、その下方であって建物躯体に固定ねじを介して固定されて外方に向かって下り傾斜するとともに突出する外壁突出物の上面にまで案内するように設けた後付け水切りと、
先付け水切りと後付け水切りとの間にそれらの隙間を塞ぐように設けた閉塞カバーとを備え、
前記先付け水切りの上端は、外部取付部材の下部と壁パネルとの間に位置し、
この先付け水切りの下端は、先付け水切りの上端から連続し、外壁突出物の建物躯体側の端部よりも反建物躯体側に位置するように反建物躯体側に向かって延びるとともに、建物躯体側に向かって折り返すことで折り返し部が形成され、
前記後付け水切りの上端は、先付け水切りの下端よりも建物躯体側に位置し、
この後付け水切りの下端は、先付け水切りの下端よりも反建物躯体側に突出するとともに外壁突出物の上面にまで延び、
前記閉塞カバーの上端には、前記折り返し部に係止可能な係止部を形成し、
この閉塞カバーの下端は、後付け水切りの反建物躯体側の表面であって前記後付け水切りを固定する固定ねじの下方に位置するように設けた固定ねじを介して固定されていることを特徴とする組立壁パネルの固定構造。
【請求項２】
建物躯体となる壁パネルと、この壁パネルの外側表面に取り付けた外部取付部材とを予め組んだ組立壁パネルの取付方法であって、
外部取付部材の下方であって外部取付部材から下方に流れ落ちる水を反建物躯体側に案内するように設けた先付け水切りと、この先付け水切りの下方であって先付け水切りの下端から流れ落ちる水を、その下方であって建物躯体に固定ねじを介して固定されて外方に向かって下り傾斜するとともに突出する外壁突出物の上面にまで案内するように設けた後付け水切りと、先付け水切りと後付け水切りとの間にそれらの隙間を塞ぐように設けた閉塞カバーとを備え、
前記先付け水切りの上端は、外部取付部材の下部と壁パネルとの間に位置し、先付け水切りの下端は、先付け水切りの上端から連続し、外壁突出物の建物躯体側の端部よりも反建物躯体側に位置するように反建物躯体側に向かって延びるとともに、建物躯体側に向かって折り返すことで折り返し部が形成され、
前記後付け水切りの上端は、先付け水切りの下端よりも建物躯体側に位置し、後付け水切りの下端は、先付け水切りの下端よりも反建物躯体側に突出するとともに外壁突出物の上面にまで延び、
前記閉塞カバーの上端には、前記折り返し部に係止可能な係止部を形成し、閉塞カバーの下端は、後付け水切りの反建物躯体側の表面であって前記後付け水切りを固定する固定ねじの下方に位置するように設けた固定ねじを介して固定されており、
壁パネルの外側表面に外部取付部材を取り付けて組立壁パネルを形成する工程と、
この組立壁パネルを建物の外壁位置に立設する工程と、
外方に向かって突出する外壁突出物を建物躯体の外側表面に固定する工程と、
先付け水切りの下端から流れ落ちる水を外壁突出物の上面にまで案内する後付け水切りを先付け水切りの下方に固定する工程と、
先付け水切りと後付け水切りとの間の隙間を塞ぐ閉塞カバーを両者間に固定する工程とを備えたことを特徴とする組立壁パネルの取付方法。
【発明の詳細な説明】
【０００１】
【発明の属する技術分野】
この発明は、建物躯体となる壁パネルと、この壁パネルの外側表面に取り付けた外部取付部材とを予め組んだ組立壁パネルの固定構造及びその取付方法に関する。
【０００２】
【先行技術】
従来の建物躯体となる壁パネルの固定構造は、建物躯体となる壁パネルを工場により製造し、現場施工において、壁パネルを建物躯体の外壁となる位置に立設するものであった。そして、その後、この壁パネルから外側に向かって突出する庇や、バルコニー床等の外壁突出物を固定し、その後、壁パネルの表面を覆うサイディング材や、アルミサッシ枠等の外部取付部材を固定していた。そして、このサイディング材等の外部取付部材と、バルコニー床や庇等の外壁突出物との間には、両者間の隙間から雨水等が建物躯体に浸入することを防止するために、パテ状のコーキング材等を両者間の隙間に充填していた。
【０００３】
なお、近年では、建築現場での生産性の向上や、品質の均一性や、品質の向上を目的として、建築部材を予め工場で作成して、現場では、簡単な組立や取付だけで済むようにしたプレファブ工法の検討が進められている。
【０００４】
【発明が解決しようとする課題】
しかし、上記した従来の壁パネルの固定構造においては、壁パネル自体は、工場において生産するが、この壁パネルに取り付けるサイディングや、アルミサッシ枠等の外部取付部材等を、現場施工において、取り付けるため、現場施工での組立作業に手間がかかり、建築現場での生産性の向上を図ることが容易ではないという第一の問題点があった。
【０００５】
また、サイディング等の外部取付部材の周囲にバルコニー床や庇等の外壁から外方に向かって突出する外壁突出物が形成されると、これら外部取付部材と外壁突出物との間の隙間の防水処理は、パテ状のコーキング材により施され、かかるコーキング材による防水処理は、熟練した技術を必要とし、容易ではないという第二の問題点があった。
【０００６】
また、壁パネルに、予め工場でサイディングやアルミサッシ枠等の外部取付部材を取り付けようとしても、サイディング材等の外部取付部材と、その周囲部材である庇等の外壁突出物との間をコーキング材により防水処理を施すためには、両者の間隔をコーキング材が充填可能な幅に設定する必要が生じる。かかる場合には、サイディング材等の外部取付部材を外壁突出物の近傍にまで近づけなければならず、サイディング等の外部取付部材が邪魔になって、それらを固定した後から、庇等の外壁突出物を固定しようとしても、取付作業が困難な場合が多く、外壁突出物の後付け作業は容易ではないという第三の問題点があった。
【０００７】
そこで、請求項１記載の発明は、上記した従来の技術の有する第一乃至第三の問題点に鑑みてなされたものであり、その目的とするところは、外壁突出物の後付け作業を容易に行うことができるとともに、現場施工での組立作業や防水作業が容易であり、建築現場での生産性の向上を図ることができる組立壁パネルの固定構造を提供しようとするものである。
【０００８】
これに加え、この請求項１記載の発明は、防水性を担保した組立壁パネルの固定構造を提供しようとするものである。
これに加え、この請求項１記載の発明は、先付け水切りから流れ落ちる水を確実に外壁突出物にまで案内することができて、防水性を確実なものにした組立壁パネルの固定構造を提供しようとするものである。
【０００９】
これに加え、この請求項１記載の発明は、閉塞カバーを設けたことにより、横からの風雨の吹き込みにも対応することができて、建物躯体の防水性が良好な組立壁パネルの固定構造を提供しようとするものである。
これに加え、この請求項１記載の発明は、閉塞カバーを簡単に取り付けることができて、取付作業が容易な組立壁パネルの固定構造を提供しようとするものである。
【００１０】
請求項２記載の発明は、現場施工での組立作業や防水作業が容易であり、建築現場での生産性の向上を図ることができる組立壁パネルの取付方法を提供しようとするものである。
【００１１】
【課題を解決するための手段】
本発明は、上記した目的を達成するためのものである。
請求項１記載の発明は、建物躯体(11)となる壁パネル(10)と、この壁パネル(10)の外側表面に取り付けた外部取付部材(20)とを予め組んだ組立壁パネルの固定構造であって、外部取付部材(20)の下方であって外部取付部材(20)から下方に流れ落ちる水を反建物躯体(11)側に案内するように設けた先付け水切り(40)と、この先付け水切り(40)の下方であって先付け水切り(40)の下端から流れ落ちる水を、その下方であって建物躯体(11)に固定ねじ(51)を介して固定されて外方に向かって下り傾斜するとともに突出する外壁突出物(30)の上面にまで案内するように設けた後付け水切り(50)と、先付け水切り(40)と後付け水切り(50)との間にそれらの隙間を塞ぐように設けた閉塞カバー(60)とを備え、前記先付け水切り(40)の上端は、外部取付部材(20)の下部と壁パネル(10)との間に位置し、この先付け水切り(40)の下端は、先付け水切り(40)の上端から連続し、外壁突出物(30)の建物躯体(11)側の端部よりも反建物躯体(11)側に位置するように反建物躯体(11)側に向かって延びるとともに、建物躯体(11)側に向かって折り返すことで折り返し部(44)が形成され、前記後付け水切り(50)の上端は、先付け水切り(40)の下端よりも建物躯体(11)側に位置し、この後付け水切り(50)の下端は、先付け水切り(40)の下端よりも反建物躯体(11)側に突出するとともに外壁突出物(30)の上面にまで延び、前記閉塞カバー(60)の上端には、前記折り返し部(44)に係止可能な係止部(61)を形成し、この閉塞カバー(60)の下端は、後付け水切り(50)の反建物躯体(11)側の表面であって前記後付け水切り(50)を固定する固定ねじ(51)の下方に位置するように設けた固定ねじ(62)を介して表面に固定されていることを特徴とする。
【００１２】
なお、ここで、「外部取付部材(20)」とは、建物躯体(11)となる壁パネル(10)の外側に取り付けられるものであって、例えば、サイディングとも呼ばれて壁パネル(10)の表面を化粧するとともに建物躯体(11)の表面を風雨や熱等から守る外壁化粧部材(21)や、壁パネル(10)の窓や出入口等の開口部(24)の周囲に取り付けられるアルミサッシ枠等を含むものである。
【００１３】
また、「先付け水切り(40)」は、外部取付部材(20)の下方に流れ落ちる水を外部取付部材(20)よりも反建物躯体側に案内することができるものであれば良いものである。具体的な形状は、特に限定されるものではないが、例えば、外部取付部材(20)の壁パネル(10)側から、外部取付部材(20)の下方を通って、反建物躯体側に向かって下り傾斜する一枚の平板状の板や、外部取付部材(20)の壁パネル(10)側から外部取付部材(20)の下方を通って、反建物躯体側に向かって延びる縦断面形状が略Ｓ字状、扇状或いは階段状等のものを含むものである。
さらに、「外壁突出物(30)」とは、建物躯体(11)に固定されて外壁より外方に向かって突出する物であれば良いものである。具体的には、例えば、庇(31)やバルコニー床(33)やフラワーボックス等を含むものである。
【００１４】
本発明は、先付け水切り(40)の上端が、外部取付部材(20)の下部と壁パネル(10)との間に位置し、この上端から連続する下端が外部取付部材(20)の反建物躯体側に位置している。このため、壁パネル(10)及び外部取付部材(20)に沿って下方に流れ落ちてくる雨水等を、先付け水切り(40)の上面側の表面により受けとめることができ、さらに、この受けとめた雨水を、外部取付部材(20)の反建物躯体側に位置する下端より、外部取付部材(20)の反建物躯体側の下方に案内することができる。
すなわち、外部取付部材(20)の下端から流れ落ちる水をかかる先付け水切り(40)により反建物躯体側に案内することができるため、外部取付部材(20)の下端と、その周囲の部材との間に生じる隙間をパテ状のコーキング材等により塞ぐ必要がない。このコーキング材を使用する必要がないため、防水処理作業を大幅に簡略化することができ、建築現場での生産性を向上させることができる。
【００１５】
また、外部取付部材(20)と周囲部材との間の隙間の防水処理にコーキング材を使用せず、先付け水切り(40)により防水処理を施しているため、外部取付部材(20)及び周囲部材の間の隙間をコーキング材で充填するような場合よりも、かかる隙間の間隔を大きく設定することができる。これにより、周囲の部材（例えば庇31やバルコニー床33等の外壁突出物30）を取り付けた後にサイディング等の外部取付部材(20)を取り付ける必要がなく、サイディング等の外部取付部材(20)が邪魔になることなく、庇(31)等の外壁突出物(30)を後付けすることができ、外壁突出物(30)の後付け作業を容易に行うことができる。このため、工場生産において、予め壁パネル(10)の外側表面に外部取付部材(20)を固定した組立壁パネルを形成することができる。これにより、現場施工においては、壁パネル(10)及び外部取付部材(20)とが一体となった組立壁パネルを外壁を形成する位置に立設することができ、その後、周囲部材である外壁突出物(30)を固定することができる。
すなわち、現場施工において、壁パネル(10)及び外部取付部材(20)とを一体物として現場施工において取り扱うことができて、壁パネル(10)に外部取付部材(20)を取り付ける作業を省くことができる。これにより、現場施工での組立作業を容易にすることができ、建築現場での生産性を向上させることができる。また、組立壁パネルを工場において組み立てる場合には、現場組み立てと異なり、専用組立機により熟練した作業員が高品質で安定したものを大量に生産することができるため、品質的にも優れたものを提供することができる。
【００１６】
【００１７】
さらに、本発明は、先付け水切り(40)の下端が外壁突出物(30)の建物躯体(11)側の端部よりも反建物躯体側に位置している。このため、先付け水切り(40)の下端から流れ落ちる雨水等を外壁突出物(30)の建物躯体(11)側の端部よりも反建物躯体側に案内して落下させることができる。そして、外壁突出物(30)の上面に落下した雨水等は、外壁突出物(30)が外方に向かって下り傾斜しているために、建物躯体(11)側に向かって伝わることがなく、建物躯体(11)の外方に向かって流れ落とすことができる。これにより、建物躯体(11)の防水性を担保することができる。
【００１８】
【００１９】
また、本発明は、後付け水切り(50)の上端が、先付け水切り(40)の下端より建物躯体(11)側に位置するようにして、建物躯体(11)側に固定ねじ(51)を介して固定され、後付け水切り(50)の下端が、先付け水切り(40)の下端より反建物躯体側に突出している。このため、先付け水切り(40)の下端から流れ落ちる水が真下に落下せずに周囲に散乱して建物躯体(11)側に落下しても、かかる散乱した水を後付け水切り(50)の表面において捕捉することができる。そして、後付け水切り(50)の下端は、外壁突出物(30)の上面にまで延びているため、捕捉した水を外壁突出物(30)の上面にまで案内することができる。そして、外壁突出物(30)の上面に流れ落ちた水は、建物躯体(11)の外方に向かって流れ落ちる。
これにより、先付け水切り(40)の下端から落下する水を後付け水切り(50)及び外壁突出物(30)により確実に建物躯体(11)の外方に向かって案内することができて、水が建物躯体(11)側に向かって流れ落ちることを抑えることができ、建物躯体(11)の防水性を担保することができる。
【００２０】
さらに、本発明において、先付け水切り(40)と後付け水切り(50)との間には、それらの隙間を塞ぐ閉塞カバー(60)を設けている。このため、先付け水切り(40)の下端から流れ落ちる水が、強風により横方向に吹き飛ばされても、かかる吹き飛ばされた水を建物躯体(11)に付着させることなく、閉塞カバー(60)により捕捉することができる。そして、閉塞カバー(60)の下端が後付け水切り(50)の反建物躯体側の表面であって前記後付け水切り(50)を固定する固定ねじ(51)の下方に位置するように設けた固定ねじ(62)を介して固定されているため、閉塞カバー(60)により捕捉された水は、その下端から後付け水切り(50)の反建物躯体側の表面に流れ落ち、その後、この後付け水切り(50)及び外壁突出物(30)を介して、建物躯体(11)の外方に向かって流れ落ちる。
これにより、強風により先付け水切り(40)の下端から雨水が横方向に吹き飛ばされるような場合であっても、先付け水切り(40)と後付け水切り(50)との間から、建物躯体(11)側に水が浸入することを抑え、建物躯体(11)の防水性を担保することができる。
【００２１】
また、先付け水切り(40)と後付け水切り(50)との間の隙間をパテ状のコーキング材等を充填することなく、閉塞カバー(60)により塞いでいるため、養生時間が必要で手間のかかるコーキング材を使用することなく、防水作業を施すことができ、組立作業を容易にすることができる。
【００２２】
さらに、本発明は、先付け水切り(40)の下端に折り返し部(44)を形成し、閉塞カバー(60)の上端に係止部(61)を形成している。このため、閉塞カバー(60)の係止部(61)を先付け水切り(40)の折り返し部(44)に差し込むだけで、閉塞カバー(60)の上端を先付け水切り(40)の下端に固定することができる。
これにより、ねじ等の締結部材や、接着剤等の特別な固定補助部材を使用することなく、閉塞カバー(60)の上端を先付け水切り(40)の下端に固定することができて、現場施工における取付作業を容易にすることができる。
【００２３】
請求項２記載の発明は、建物躯体(11)となる壁パネル(10)と、この壁パネル(10)の外側表面に取り付けた外部取付部材(20)とを予め組んだ組立壁パネルの取付方法であって、外部取付部材(20)の下方であって外部取付部材(20)から下方に流れ落ちる水を反建物躯体側に案内するように設けた先付け水切り(40)と、この先付け水切り(40)の下方であって先付け水切り(40)の下端から流れ落ちる水を、その下方であって建物躯体(11)に固定ねじ(51)を介して固定されて外方に向かって下り傾斜するとともに突出する外壁突出物(30)の上面にまで案内するように設けた後付け水切り(50)と、先付け水切り(40)と後付け水切り(50)との間にそれらの隙間を塞ぐように設けた閉塞カバー(60)とを備え、前記先付け水切り(40)の上端は、外部取付部材(20)の下部と壁パネル(10)との間に位置し、先付け水切り(40)の下端は、先付け水切り(40)の上端から連続し、外壁突出物(30)の建物躯体(11)側の端部よりも反建物躯体側に位置するように反建物躯体側に向かって延びるとともに、建物躯体(11)側に向かって折り返すことで折り返し部(44)が形成され、前記後付け水切り(50)の上端は、先付け水切り(40)の下端よりも建物躯体(11)側に位置し、後付け水切り(50)の下端は、先付け水切り(40)の下端よりも反建物躯体側に突出するとともに外壁突出物(30)の上面にまで延び、前記閉塞カバー(60)の上端には、前記折り返し部(44)に係止可能な係止部(61)を形成し、閉塞カバー(60)の下端は、後付け水切り(50)の反建物躯体側の表面であって前記後付け水切り(50)を固定する固定ねじ(51)の下方に位置するように設けた固定ねじ(62)を介して固定されており、壁パネル(10)の外側表面に外部取付部材(20)を取り付けて組立壁パネルを形成する工程と、この組立壁パネルを建物の外壁位置に立設する工程と、外方に向かって突出する外壁突出物(30)を建物躯体(11)の外側表面に固定する工程と、先付け水切り(40)の下端から流れ落ちる水を外壁突出物(30)の上面にまで案内する後付け水切り(50)を先付け水切り(40)の下方に固定する工程と、先付け水切り(40)と後付け水切り(50)との間の隙間を塞ぐ閉塞カバー(60)を両者間に固定する工程とを備えたことを特徴とする。
【００２４】
本発明に係る組立壁パネルの取付方法について説明する。
先ず、最初に、壁パネル(10)の外側表面にサイディング等の外部取付部材(20)を取り付けて、壁パネル(10)及び外部取付部材(20)からなる組立壁パネルを形成する。
次に、この組立壁パネルを建物の外壁位置に立設して建物躯体を構成する。
【００２５】
次に、外方に向かって突出する外壁突出物(30)を建物躯体(11)の外側表面に固定する。
次に、先付け水切り(40)の下端から流れ落ちる水を外壁突出物(30)の上面にまで案内する後付け水切り(50)を先付け水切り(40)の下方に固定する。
次に、先付け水切り(40)と後付け水切り(50)との間の隙間を塞ぐ閉塞カバー(60)を両者間に固定する。これにより、組立壁パネルの取付作業が終了する。
【００２６】
本発明は、外部取付部材(20)の下端から流れ落ちる水をかかる先付け水切り(40)により反建物躯体側に案内することができるため、外部取付部材(20)の下端と、その周囲の部材との間に生じる隙間をパテ状のコーキング材等により塞ぐ必要がない。このため、防水処理作業を大幅に簡略化することができ、建築現場での生産性を向上させることができる。
【００２７】
また、外部取付部材(20)と周囲部材との間の隙間の防水処理にコーキング材を使用せず、先付け水切り(40)により防水処理を施しているため、外部取付部材(20)及び周囲部材の間の隙間をコーキング材で充填するような場合よりも、かかる隙間の間隔を大きく設定することができ、サイディング等の外部取付部材(20)が邪魔になることなく、外壁突出物(30)を後付けすることができる。このため、工場生産において、予め壁パネル(10)の外側表面に外部取付部材(20)を固定した組立壁パネルを形成することができ、現場施工においては、壁パネル(10)及び外部取付部材(20)とが一体となった組立壁パネルを使用することができる。
したがって、現場施工において、壁パネル(10)及び外部取付部材(20)を一体物として現場施工において取り扱うことができて、壁パネル(10)に外部取付部材(20)を取り付ける作業を省くことができ、現場施工での組立作業を容易にすることができ、建築現場での生産性を向上させることができる。また、組立壁パネルは、専用組立機により熟練した作業員が高品質で安定したものを大量に生産することができるため、品質的にも優れたものを提供することができる。
【００２８】
【発明の実施の形態】
以下、本発明の実施の形態を図面に基づいて、更に詳しく説明する。
図１乃至図３は、本発明の第一の実施の形態を示すものであり、図１は組立壁パネルの固定構造の縦断面図、図２は組立壁パネルの固定構造の一部拡大縦断面図、図３は組立壁パネルの固定構造の概略斜視図をそれぞれ示す。なお、図３に示すＡＡ断面を図１及び図２に示すものである。
【００２９】
まず、本実施の形態の構成について説明する。
本実施の形態に係る組立壁パネルは、図３に示すように、内部に方形状の開口部24を有している。この開口部24の周囲には、スライド引戸が取付可能なアルミサッシ枠22が取り付けられている。この組立壁パネルの外側下部には、外壁突出物30であって、上方に向かって開口するバルコニー36が取り付けられるものである。具体的には、組立壁パネルの下端縁にバルコニー36の下面となるバルコニー床33が形成され、そのバルコニー床33の上面には、その全面を覆う防水パン34が形成されている。なお、バルコニー床33は、建物躯体11にボルト及びナットを組み合わせた固定手段37により固定されている。
【００３０】
本実施の形態に係る組立壁パネルは、建物躯体11となる壁パネル10と、この壁パネル10の外側表面に取り付けた外部取付部材20とを予め組んだものである。前記壁パネル10は、特に図示しないが、木質からなり四角枠状の枠材及びこの枠内を塞ぐ面材からなるものである。そして、外部取付部材20は、壁パネル10の外側の表面に取り付けられるものであって、断面ＡＡ線における本実施の形態では、サイディングとも呼ばれる外壁化粧部材21である。この外壁化粧部材21は、セラミック材からなり風雨や熱や光等から壁パネル10である建物躯体11を防護するとともに、その外側表面には、凹凸模様を有して建物躯体11の外観を良好なものにするものである。この外壁化粧部材21は、壁パネル10の外側表面に横方向に釘等により固定された木質からなる胴縁23を介して、壁パネル10に取り付けられている。
【００３１】
そして、外部取付部材20の下方には、外部取付部材20から下方に流れ落ちる水を反建物躯体11側に案内する先付け水切り40を設けている。この先付け水切り40の上端は、外壁化粧部材21の下部と壁パネル10との間に位置し、先付け水切り40の下端は、先付け水切り40の上端から連続するとともに反建物躯体11側に向かって延びている。
【００３２】
そして、先付け水切り40の下方には、外壁突出物30であるバルコニー床33及び防水パン34が形成されている。そして、先付け水切り40の下端は、外壁突出物30の防水パン34の建物躯体11側の端部の突条縁35よりも反建物躯体11側に位置している。なお、防水パン34は、その上面を水が流れて、その下方のバルコニー床33に雨水が流れ落ちないよう形成されているものである。
【００３３】
そして、先付け水切り40の下方には、先付け水切り40の下端から流れ落ちる水を外壁突出物30の防水パン34の上面にまで案内する段差状の後付け水切り50が形成されている。
具体的には、この後付け水切り50は、壁パネル10の外側に固定された木質からなる取付調整材13に固定ねじ51を介して固定されている。この後付け水切り50の上端は、先付け水切り40の下端よりも建物躯体11側に位置している。そして、後付け水切り50の下端は、先付け水切り40の下端よりも反建物躯体11に突出するとともに防水パン34の上面にまで延びている。
【００３４】
前記先付け水切り40と後付け水切り50との間には、それらの隙間を塞ぐ閉塞カバー60を設けている。この閉塞カバー60の下端は、後付け水切り50の反建物躯体11側の表面の取付調整材13に固定ねじ62を介して固定されている。そして、先付け水切り40の下端には、建物躯体11側に向かって折り返す折り返し部44を形成している。そして、閉塞カバー60の上端には、前記折り返し部44に係止可能な係止部61を形成し、この係止部61が折り返し部44に上方から差し込まれることにより、両者が固定されている。
【００３５】
次に、本実施の形態に係る組立壁パネルの取付手順について説明する。
先ず、最初に、部品の生産工場において、壁パネル10の下端に、外壁化粧部材21の下方に流れ落ちる水を反建物躯体側に案内する先付け水切り40を釘等により固定する。次に、壁パネル10の外側表面に、横方向に沿って胴縁23を釘等を介して固定する。そして、この胴縁23の表面に外部取付部材20である外壁化粧部材21をねじ等を介して固定する。これにより、壁パネル10及び外壁化粧部材21からなる組立壁パネルが形成される。
そして、この一体となった組立壁パネルを建築現場まで出荷及び搬送する。もちろん、上記工程を生産工場において行うことなく、別々に出荷した壁パネル10及び外壁化粧部材21を建築現場において、一体となるように組み合わせても良いものである。
【００３６】
次に、建築現場において、前記組立壁パネルを建物の外壁位置に立設して互いに組み合わせて建物躯体11を構成する。次に、外方に向かって突出するバルコニー床33を建物躯体11の外側表面に固定手段37を介して固定する。そして、バルコニー床33の上面には、防水パン34を載置して固定する。
【００３７】
次に、先付け水切り40の下端から流れ落ちる水を外壁突出物30の上面にまで案内する後付け水切り50を先付け水切り40の下方に固定する。具体的には、後付け水切り50の下端が防水パン34の突条縁35の反建物躯体側に位置するような状態に設定した後、後付け水切り50の上部を固定ねじ51により、建物躯体11側の取付調整材13に固定する。
【００３８】
次に、先付け水切り40と後付け水切り50との間の隙間を塞ぐ閉塞カバー60を両者間に固定する。具体的には、後付け水切り50の上端の係止部61を先付け水切り40の下端の折り返し部44に上方から差し込み、両者を係止する。そして、閉塞カバー60の下端を固定ねじ62を介して、後付け水切り50の上部とともに取付調整材13に固定する。これにより、組立壁パネルの取付作業が終了する。
【００３９】
次に、上記した実施の形態の作用及び効果について説明する。
本実施の形態は、先付け水切り40の上端が、外部取付部材20である外壁化粧部材21の下部と壁パネル10との間に位置し、先付け水切り40の上端から連続する下端が外壁化粧部材21の反建物躯体側に位置している。このため、壁パネル10及び外壁化粧部材21に沿って下方に流れ落ちてくる雨水等を、先付け水切り40の上面側の表面により受けとめることができ、さらに、この受けとめた雨水を、外壁化粧部材21の反建物躯体側に位置する下端より、外壁化粧部材21の反建物躯体側の下方に案内することができる。
すなわち、外壁化粧部材21の下端から流れ落ちる水をかかる先付け水切り40により反建物躯体側に案内することができるため、外壁化粧部材21の下端と、その周囲の部材との間に生じる隙間をパテ状のコーキング材等により塞ぐ必要がない。このコーキング材を使用する必要がないため、防水処理作業を大幅に簡略化することができ、建築現場での生産性を向上させることができる。
【００４０】
また、外壁化粧部材20と外壁突出物30との間の隙間の防水処理にコーキング材を使用せず、先付け水切り40等により防水処理を施しているため、外壁化粧部材20及び外壁突出物30の間の隙間をコーキング材で充填するような場合よりも、かかる隙間の間隔を大きく設定することができる。これにより、バルコニー床33や防水パン34等の外壁突出物30を取り付けた後にサイディング等の外壁化粧部材20を取り付ける必要がない。すなわち、サイディング等の外壁化粧部材20が邪魔になることなく、バルコニー床33や防水パン34等の外壁突出物30を後付けすることができる。
このため、工場生産において、予め壁パネル10の外側表面に外壁化粧部材20を固定した組立壁パネルを形成することができる。これにより、現場施工においては、壁パネル10及び外壁化粧部材20とが一体となった組立壁パネルを外壁を形成する位置に同時に立設することができ、その後、壁パネル10に外壁突出物30を固定することができる。すなわち、現場施工において、壁パネル10及び外壁化粧部材20とを一体物として現場施工において取り扱うことができて、壁パネル10に外壁化粧部材20を取り付ける作業を省くことができる。これにより、現場施工での組立作業を容易にすることができ、建築現場での生産性を向上させることができる。また、組立壁パネルは、部品の生産組立工場において、専用組立機により熟練した作業員が高品質で安定したものを大量に生産することができるため、品質的にも優れたものを提供することができる。
【００４１】
本実施の形態は、先付け水切り40の下端が外壁突出物30の防水パン34の建物躯体11側の端部の突条縁35よりも反建物躯体側に位置している。このため、先付け水切り40の下端から流れ落ちる雨水等を防水パン34の建物躯体11側の端部の突条縁35よりも反建物躯体側に案内して落下させることができ、防水パン34の内部に流し込むことができる。そして、防水パン34の上面に落下した雨水等は、防水パン34が外方に向かって下り傾斜しているために、建物躯体11側に向かって伝わることがなく、建物躯体11の外方に向かって流すことができる。これにより、建物躯体11の防水性を担保することができる。
【００４２】
また、本実施の形態において、後付け水切り50の上端が、先付け水切り40の下端より建物躯体11側に位置し、後付け水切り50の下端が、先付け水切り40の下端より反建物躯体側に突出している。このため、先付け水切り40の下端から流れ落ちる水が真下に落下せずに周囲に散乱して建物躯体11側に落下しても、かかる散乱した水を後付け水切り50の表面において捕捉することができる。そして、後付け水切り50の下端は、防水パン34の上面にまで延びているため、捕捉した水を防水パン34の上面にまで確実に案内することができる。
【００４３】
本実施の形態において、先付け水切り40と後付け水切り50との間には、それらの隙間を塞ぐ閉塞カバー60を設けている。このため、先付け水切り40の下端から流れ落ちる水が、強風により横方向に吹き飛ばされても、かかる吹き飛ばされた水を建物躯体11に付着させることなく、閉塞カバー60により捕捉することができる。そして、閉塞カバー60の下端が後付け水切り50の反建物躯体側の表面に固定されているため、閉塞カバー60により捕捉された水は、その下端から後付け水切り50の反建物躯体側の表面に流れ落ち、この後付け水切り50及び外壁突出物30を介して、建物躯体11の外方に向かって流すことができる。これにより、強風により先付け水切り40の下端から横方向に吹き飛ばされるような場合であっても、先付け水切り40と後付け水切り50との間から、建物躯体11側に水が浸入することを抑え、建物躯体11の防水性を担保することができる。
【００４４】
また、先付け水切り40と後付け水切り50との間の隙間をパテ状のコーキング材等を充填することなく、閉塞カバー60により塞いでいるため、養生時間が必要で手間のかかるコーキング材を使用することなく、防水作業を施すことができ、組立作業を容易にすることができる。そして、先付け水切り40の下端に折り返し部44を形成し、閉塞カバー60の上端に係止部61を形成している。このため、閉塞カバー60の係止部61を先付け水切り40の折り返し部44に差し込むだけで、閉塞カバー60の上端を先付け水切り40の下端に固定することができる。これにより、ねじ等の締結部材や、接着剤等の特別な固定補助部材を使用することなく、閉塞カバー60の上端を先付け水切り40の下端に固定することができて、現場施工における取付作業を容易にすることができる。
【００４５】
次に、第二の実施の形態について説明する。
図４は、本発明の第二の実施の形態であって、組立壁パネルの固定構造の縦断面図を示すものである。
本実施の形態は、図３のＢＢ線の断面図であって、開口部24の周囲枠にアルミサッシ枠22が形成されているものである。すなわち、第一の実施の形態において、先付け水切り40は、外壁化粧部材21の下方に形成されていたが、本実施の形態では外壁化粧部材21の代わりにアルミサッシ枠22が形成され、このアルミサッシ枠22の下方に先付け水切り40を形成したものである。そして、先付け水切り40の上端は、外部取付部材20であるアルミサッシ枠22の下部と壁パネル10との間に位置しているものである。
その他の構成は、第一の実施の形態と同様であって、同一の構成には、同一の部品番号を付与して説明を省略する。なお、本実施の形態においても、第一の実施の形態において説明したものと略同様の作用及び効果を得ることができるものである。
【００４６】
次に、第三の実施の形態について説明する。
図５は、本発明の第三の実施の形態であって、組立壁パネルの固定構造の縦断面図を示すものである。
本実施の形態は、先付け水切り40の上方には、外部取付部材20となるアルミサッシ枠22が形成されているものであるが、このアルミサッシ枠22と先付け水切り40との間には、もう一つの外部取付部材20となる短尺状の短尺外壁化粧部材25が形成されているものである。そして、先付け水切り40の上端は、短尺外壁化粧部材25の下部と壁パネル10との間に位置するように設定されているものである。
その他の構成は、第一の実施の形態と同様であって、同一の構成には、同一の部品番号を付与して説明を省略する。なお、本実施の形態においても、第一の実施の形態において説明したものと略同様の作用及び効果を得ることができるものである。
【００４７】
【発明の効果】
本発明は、以上のように構成されているので、以下に記載されるような効果を奏する。
請求項１記載の発明によれば、外壁突出物の後付け作業を容易に行うことができるとともに、現場施工での組立作業や防水作業が容易であり、建築現場での生産性の向上を図ることができる組立壁パネルの固定構造を提供することができる。
【００４８】
さらに、この請求項１記載の発明によれば、防水性を担保した組立壁パネルの固定構造を提供することができる。
また、この請求項１記載の発明によれば、先付け水切りから流れ落ちる水を確実に外壁突出物にまで案内することができて、防水性を確実なものにした組立壁パネルの固定構造を提供することができる。
【００４９】
さらに、この請求項１記載の発明によれば、閉塞カバーを設けたことにより、横からの風雨の吹き込みにも対応することができて、建物躯体の防水性が良好な組立壁パネルの固定構造を提供することができる。
また、この請求項１記載の発明によれば、閉塞カバーを簡単に取り付けることができて、取付作業が容易な組立壁パネルの固定構造を提供することができる。
【００５０】
請求項２記載の発明によれば、現場施工での組立作業や防水作業が容易であり、建築現場での生産性の向上を図ることができる組立壁パネルの取付方法を提供することができる。
【図面の簡単な説明】
【図１】  本発明の第一の実施の形態であって、組立壁パネルの固定構造を示す縦断面図である。
【図２】  本発明の第一の実施の形態であって、組立壁パネルの固定構造を示す一部拡大縦断面図である。
【図３】  本発明の第一の実施の形態であって、組立壁パネルの固定構造を示す概略斜視図である。
【図４】  本発明の第二の実施の形態であって、組立壁パネルの固定構造を示す縦断面図である。
【図５】  本発明の第三の実施の形態であって、組立壁パネルの固定構造を示す縦断面図である。
【符号の説明】
10…壁パネル、11…建物躯体、13…取付調整材、20…外部取付部材、21…外壁化粧部材、22…アルミサッシ枠、23…胴縁、24…開口部、25…短尺外壁化粧部材、30…外壁突出物、31…庇、33…バルコニー床、34…防水パン、35…突条縁、36…バルコニー、37…固定手段、40…先付け水切り、44…折り返し部、50…後付け水切り、51…固定ねじ、60…閉塞カバー、61…係止部、62…固定ねじ。
【図１】
0003999339.tif 000002
【図２】
0003999339.tif 000003
【図３】
0003999339.tif 000004
【図４】
0003999339.tif 000005
【図５】
0003999339.tif 000006